(57)【要約】【課題】  安全性の高い昇降装置を簡易に提供すること。【解決手段】  建物１の複数階にわたって運搬かご１２を昇降させる昇降装置１０において、位置エネルギを予め蓄積し得る位置エネルギ蓄積装置１４と、位置エネルギ蓄積装置１４の位置エネルギを増減調整する位置エネルギ調整装置１６と、位置エネルギ調整装置１６により増減調整された位置エネルギ蓄積装置１４の位置エネルギの変化により、運搬かご１２を昇降させるかご移動装置２１とを有してなるもの。【選択図】  図１
2005119782.tif 000002
【特許請求の範囲】
【請求項１】
建物の複数階にわたって運搬かごを昇降させる昇降装置において、
位置エネルギを予め蓄積し得る位置エネルギ蓄積装置と、
位置エネルギ蓄積装置の位置エネルギを増減調整する位置エネルギ調整装置と、
位置エネルギ調整装置により増減調整された位置エネルギ蓄積装置の位置エネルギの変
化により、運搬かごを昇降させるかご移動装置とを有してなることを特徴とする昇降装置
。
【請求項２】
前記位置エネルギ蓄積装置が昇降タンクであり、
前記かご移動装置が昇降タンクと運搬かごを滑車を挟んでつないだロープにて構成され
、
前記位置エネルギ調整装置が上昇位置にある昇降タンクに給水して該昇降タンクの位置
エネルギを増加させ、下降位置にある昇降タンクから排水する給排水装置である請求項１
に記載の昇降装置。
【請求項３】
前記位置エネルギ蓄積装置が昇降おもりであり、
前記かご移動装置が昇降おもりと運搬かごを滑車を挟んでつないだロープにて構成され
、
前記位置エネルギ調整装置が下降位置にある昇降おもりを上昇位置まで上昇させて該昇
降おもりの位置エネルギを増加させる電動リフトである請求項１に記載の昇降装置。
【請求項４】
前記かご移動装置が運搬かごの下降速度を制動させる制動装置を備える請求項１〜３の
いずれかに記載の昇降装置。
【発明の詳細な説明】
【技術分野】
【０００１】
本発明は建物の複数階にわたって運搬かごを昇降させる昇降装置に関する。
【背景技術】
【０００２】
従来の建物に設置される昇降装置（エレベータ）は、特許文献１に記載の如く、運搬か
ごを昇降させるかご移動装置が電動モータや電動ポンプを有し、これらの電動モータや電
動ポンプにより直接的に運搬かごを昇降させている。
【特許文献１】特許2593010
【発明の開示】
【発明が解決しようとする課題】
【０００３】
従来技術では、昇降かごの上昇時に必ず電動モータや電動ポンプが作動するため、騒音
や振動を伴う。
【０００４】
また、電動モータや電動ポンプで直接的に運搬かごを昇降させるため、安全確保のため
の格別な二次的装置、管理が必要とされる。
本発明の課題は、安全性の高い昇降装置を簡易に提供することにある。
【課題を解決するための手段】
【０００５】
請求項１の発明は、建物の複数階にわたって運搬かごを昇降させる昇降装置において、
位置エネルギを予め蓄積し得る位置エネルギ蓄積装置と、位置エネルギ蓄積装置の位置エ
ネルギを増減調整する位置エネルギ調整装置と、位置エネルギ調整装置により増減調整さ
れた位置エネルギ蓄積装置の位置エネルギの変化により、運搬かごを昇降させるかご移動
装置とを有してなるようにしたものである。
【０００６】
請求項２の発明は、請求項１の発明において更に、前記位置エネルギ蓄積装置が昇降タ
ンクであり、前記かご移動装置が昇降タンクと運搬かごを滑車を挟んでつないだロープに
て構成され、前記位置エネルギ調整装置が上昇位置にある昇降タンクに給水して該昇降タ
ンクの位置エネルギを増加させ、下降位置にある昇降タンクから排水する給排水装置であ
るものである。
【０００７】
請求項３の発明は、請求項１の発明において更に、前記位置エネルギ蓄積装置が昇降お
もりであり、前記かご移動装置が昇降おもりと運搬かごを滑車を挟んでつないだロープに
て構成され、前記位置エネルギ調整装置が下降位置にある昇降おもりを上昇位置まで上昇
させて該昇降おもりの位置エネルギを増加させる電動リフトであるものである。
【０００８】
請求項４の発明は、請求項１〜３の発明において更に、前記かご移動装置が運搬かごの
下降速度を制動させる制動装置を備えるようにしたものである。
【発明の効果】
【０００９】
（請求項１）
(a)位置エネルギ調整装置により増減調整された位置エネルギ蓄積装置の位置エネルギ
の変化により、運搬かごを昇降させる。従って、位置エネルギ蓄積装置の位置エネルギを
予め増加させておき、この位置エネルギによって運搬かごを上昇させることができるから
、運搬かごの上昇時に電動モータ等の動力を作動させる必要がない。従って、運搬かごの
上昇時に騒音や振動を伴うことがないし、安全性の高い昇降装置を簡易に構成できる。
【００１０】
（請求項２）
(b)位置エネルギ調整装置を昇降タンクへの給排水装置により簡易に構成できる。運搬
かごの上昇は、昇降タンクへの給水により予め増加させた該昇降タンクの位置エネルギに
より行なう。運搬かごの下降は、昇降タンクからの排水により該昇降タンクを軽量化させ
た状態で、運搬かごに作用する重力により行なうことができる。
【００１１】
（請求項３）
(c)位置エネルギ調整装置を昇降おもりの低容量の電動リフトにより簡易に構成できる
。運搬かごの上昇は、電動リフトにより予め上昇させた該昇降おもりの位置エネルギによ
り行なう。運搬かごの下降は、電動リフトにより昇降おもりを軽く持ち上げる状態で、運
搬かごに作用する重力により行なうことができる。
【００１２】
（請求項４）
(d)かご移動装置が制動装置を備えることにより、運搬かごの重力に起因する下降速度
を安全な低速に制御できる。運搬かごの上昇速度は、位置エネルギ調整装置が位置エネル
ギ蓄積装置に付与する位置エネルギの設定により、安全化できる。
【発明を実施するための最良の形態】
【００１３】
図１は実施例１の昇降装置を示す模式図、図２は実施例２の昇降装置を示す模式図、図
３は実施例３の昇降装置を示す模式図である。
【実施例１】
【００１４】
図１の建物１は昇降装置１０を有する。昇降装置１０は、３階建ての各階（１Ｆ〜３Ｆ
）にわたる昇降路１１を設け、この昇降路１１の上下方向に延在したガイドレール（不図
示）に沿って運搬かご１２を昇降可能に設置している。
【００１５】
昇降装置１０は、昇降路１１に並ぶサブ昇降路１３に、位置エネルギ蓄積装置１４を構
成する昇降タンク１５を昇降可能に収納してある。
【００１６】
昇降装置１０は、位置エネルギ蓄積装置１４に蓄積される位置エネルギを増減調整する
位置エネルギ調整装置１６として、昇降タンク１５への給排水装置１７を有する。
【００１７】
昇降装置１０は、位置エネルギ調整装置１６により増減調整された位置エネルギ蓄積装
置１４の位置エネルギの変化により、運搬かご１２を昇降させるかご移動装置２１を有す
る。かご移動装置２１は、昇降タンク１５と運搬かご１２を滑車２２、２３を挟んでつな
いだロープ２４にて構成される。
【００１８】
かご移動装置２１は、滑車２２（又は２３）に、運搬かご１２の下降速度を制動させる
制動装置２５を備える。制動装置２５は機械式又は電気式により動作する。本実施例の制
動装置２５は運搬かご１２の内外からの遠隔操作により、停止制御可能にされる。
【００１９】
位置エネルギ調整装置１６の給排水装置１７は、昇降タンク１５に接続した水ホース１
７Ａを巻取りリール１７Ｂによって常時たるみなく巻取り可能にし、水ホース１７Ａに接
続した低容量の電動ポンプ１７Ｃにより、水タンク１７Ｄの水を昇降タンク１５に給排可
能にする。給排水装置１７は、昇降タンク１５の標準重量が運搬かご１２と概ね同一重量
をなすように設定し、この昇降タンク１５の重量を適宜調整可能にするものである。
【００２０】
これにより、昇降装置１０にあっては、図１の如くに上昇位置にある昇降タンク１５に
対して位置エネルギ調整装置１６の給排水装置１７により給水し、昇降タンク１５の位置
エネルギを増加させ、運搬かご１２側の重量より重くなった昇降タンク１５に作用する重
力により該昇降タンク１５を下降させ、運搬かご１２を下降位置から上昇開始させる。運
搬かご１２は、上昇の過程で、かご移動装置２１の制動装置２５を遠隔操作することにて
、所定階に停止できる。尚、この運搬かご１２の上昇時に、昇降タンク１５の重量は、運
搬かご１２が空であれば運搬かご１２の重量より重く、運搬かご１２に人が載っていれば
運搬かご１２及び人の合計重量より重くなるように調整される。
【００２１】
また、昇降装置１０は、下降位置に到達した昇降タンク１５から位置エネルギ調整装置
１６の給排水装置１７により排水し、昇降タンク１５の重量を運搬かご１２側の重量より
軽くすることにより、該昇降タンク１５を上昇させ、運搬かご１２を上昇位置から下降開
始させる。このとき、運搬かご１２はかご移動装置２１の制動装置２５により下降速度を
制動せしめられる。また、運搬かご１２は、下降の過程で、制動装置２５を遠隔操作する
ことにて、所定階に停止できる。尚、この運搬かご１２の下降時に、昇降タンク１５の重
量は、運搬かご１２が空であれば運搬かご１２の重量より軽く、運搬かご１２に人が載っ
ていれば運搬かご１２及び人の合計重量より軽くなるように調整される。
【００２２】
本実施例によれば以下の作用効果を奏する。
(a)位置エネルギ調整装置１６により増減調整された位置エネルギ蓄積装置１４の位置
エネルギの変化により、運搬かご１２を昇降させる。従って、位置エネルギ蓄積装置１４
の位置エネルギを予め増加させておき、この位置エネルギによって運搬かご１２を上昇さ
せることができるから、運搬かご１２の上昇時に電動モータ等の動力を作動させる必要が
ない。従って、運搬かご１２の上昇時に騒音や振動を伴うことがないし、安全性の高い昇
降装置１０を簡易に構成できる。
【００２３】
(b)位置エネルギ調整装置１６を昇降タンク１５への給排水装置１７により簡易に構成
できる。運搬かご１２の上昇は、昇降タンク１５への給水により予め増加させた該昇降タ
ンク１５の位置エネルギにより行なう。運搬かご１２の下降は、昇降タンク１５からの排
水により該昇降タンク１５を軽量化させた状態で、運搬かご１２に作用する重力により行
なうことができる。
【００２４】
(c)かご移動装置２１が制動装置２５を備えることにより、運搬かご１２の重力に起因
する下降速度を安全な低速に制御できる。運搬かご１２の上昇速度は、位置エネルギ調整
装置１６が位置エネルギ蓄積装置１４に付与する位置エネルギの設定により、安全化でき
る。
【実施例２】
【００２５】
図２の実施例２の昇降装置１０が、実施例１の昇降装置１０と異なる点は、位置エネル
ギ調整装置１６の構成にある。
【００２６】
実施例２の位置エネルギ調整装置１６の給排水装置１７は、サブ昇降路１３の最上部に
給水電磁弁３１Ａを備えた給水管３１を設け、この給水管３１により、上昇位置にある昇
降タンク１５に給水可能とする。また、給水タンク１５に排水電磁弁３２Ａを備えた排水
管３２を設け、サブ昇降路１３の最下部に、排水管３２の排水を受ける排水路３３を設置
してある。
【００２７】
これにより、昇降装置１０にあっては、図２の如くに上昇位置にある昇降タンク１５に
対して給排水装置１７の給水管３１により給水し、昇降タンク１５の位置エネルギを増加
させ、運搬かご１２側の重量より重くなった昇降タンク１５に作用する重力により該昇降
タンク１５を下降させ、運搬かご１２を下降位置から上昇開始させる。運搬かご１２は、
上昇の過程で、かご移動装置２１の制動装置２５を遠隔操作することにて、所定階に停止
できる。尚、この運搬かご１２の上昇時に、昇降タンク１５の重量は、運搬かご１２が空
であれば運搬かご１２の重量より重く、運搬かご１２に人が載っていれば運搬かご１２及
び人の合計重量より重くなるように調整される。
【００２８】
また、昇降装置１０は、下降位置に到達した昇降タンク１５から給排水装置１７の排水
管３２により排水し、昇降タンク１５の重量を運搬かご１２側の重量より軽くすることに
より、該昇降タンク１５を上昇させ、運搬かご１２を上昇位置から下降開始させる。この
とき、運搬かご１２は、かご移動装置２１の制動装置２５により下降速度を制動せしめら
れる。また、運搬かご１２は、下降の過程で、制動装置２５を遠隔操作することにて、所
定階に停止できる。尚、この運搬かご１２の下降時に、昇降タンク１５の重量は、運搬か
ご１２が空であれば運搬かご１２の重量より軽く、運搬かご１２に人が載っていれば運搬
かご１２及び人の合計重量より軽くなるように調整される。
【００２９】
尚、排水路３３をポンプ３４により給水管３１につなぎ、昇降タンク１５への給排水を
循環使用しても良い。
実施例２によれば、実施例１と同様の作用効果を奏する。
【実施例３】
【００３０】
図３の実施例３の昇降装置１０が、実施例１の昇降装置１０と異なる点は、位置エネル
ギ蓄積装置１４と位置エネルギ調整装置１６の構成にある。
【００３１】
実施例３の位置エネルギ蓄積装置１４は、昇降おもり４１にて構成される。
実施例３の位置エネルギ調整装置１６は、下降位置にある昇降おもり４１を上昇位置ま
で上昇させて、該昇降おもり４１の位置エネルギを増加させる低容量の電動リフト４２で
ある。電動リフト４２は、サブ昇降路１３の天井部に設置される。
【００３２】
昇降装置１０にあっては、昇降おもり４１の重量を運搬かご１２の重量と、運搬かご１
２に載ることが予定される人員分の人の重量の合計重量より若干重くし、昇降おもり４１
が図３の如くに上昇位置にあるとき、或いは運搬かご１２が各階に停止するとき、昇降お
もり４１を電動リフト４２の電動モータが備えるブレーキ等により保持する。そして、運
搬かご１２に人が載っていてもいなくても、電動リフト４２による昇降おもり４１の保持
を解除することにて、すでに上昇位置にあって位置エネルギが増加せしめられている昇降
おもり４１の重力により該昇降おもり４１を下降させ、運搬かご１２を下降位置から上昇
開始させる。運搬かご１２は、上昇の過程で、かご移動装置２１の制動装置２５を遠隔操
作することにて、所定階に停止できる。
【００３３】
また、昇降装置１０は、運搬かご１２に人が載っていてもいなくても、下降位置に到達
した昇降おもり４１を電動リフト４２により上昇させることにより、運搬かご１２を上昇
位置から下降開始させる。このとき、運搬かご１２はかご移動装置２１の制動装置２５に
より下降速度を制動せしめられる。また、運搬かご１２は、下降の過程で、制動装置２５
を遠隔操作することにて、所定階に停止できる。
【００３４】
本実施例によれば以下の作用効果を奏する。
(a)位置エネルギ調整装置１６により増減調整された位置エネルギ蓄積装置１４の位置
エネルギの変化により、運搬かご１２を昇降させる。従って、位置エネルギ蓄積装置１４
の位置エネルギを予め増加させておき、この位置エネルギによって運搬かご１２を上昇さ
せることができるから、運搬かご１２の上昇時に電動モータ等の動力を作動させる必要が
ない。従って、運搬かご１２の上昇時に騒音や振動を伴うことがないし、安全性の高い昇
降装置１０を簡易に構成できる。
【００３５】
(b)位置エネルギ調整装置１６を昇降おもり４１の低容量の電動リフト４２により簡易
に構成できる。運搬かご１２の上昇は、電動リフト４２により予め上昇させた該昇降おも
り４１の位置エネルギにより行なう。運搬かご１２の下降は、電動リフト４２により昇降
おもり４１を軽く持ち上げる状態で、運搬かご１２に作用する重力により行なうことがで
きる。
【００３６】
(c)かご移動装置２１が制動装置２５を備えることにより、運搬かご１２の重力に起因
する下降速度を安全な低速に制御できる。運搬かご１２の上昇速度は、位置エネルギ調整
装置１６が位置エネルギ蓄積装置１４に付与する位置エネルギの設定により、安全化でき
る。
【００３７】
以上、本発明の実施例を図面により記述したが、本発明の具体的な構成はこの実施例に
限られるものではなく、本発明の要旨を逸脱しない範囲の設計の変更等があっても本発明
に含まれる。
【図面の簡単な説明】
【００３８】
【図１】図１は実施例１の昇降装置を示す模式図である。
【図２】図２は実施例２の昇降装置を示す模式図である。
【図３】図３は実施例３の昇降装置を示す模式図である。
【符号の説明】
【００３９】
１  建物
１０  昇降装置
１２  運搬かご
１４  位置エネルギ蓄積装置
１５  昇降タンク
１６  位置エネルギ調整装置
１７  給排水装置
２１  かご移動装置
２２、２３  滑車
２４  ロープ
２５  制動装置
４１  昇降おもり
４２  電動リフト
【図１】
2005119782.tif 000003
【図２】
2005119782.tif 000004
【図３】
2005119782.tif 000005